(57)【特許請求の範囲】
【請求項１】
収納機構であり、電子デバイス内に配置されることに適しており、第１厚さを有する第１ハードディスクを収納すること、または第２厚さを有する第２ハードディスクを収納することに使用されるものであって、
ベース、および前記ベース上に回転の軸を置き、傾斜部分を有するレバーとを含むものである第１モジュールと、
前記ベースに滑るように配置され、かつ前記傾斜部分に対応して前記傾斜部分に制限されることにより、前記ベースに対するトレーのシフトを制限するためのストッパーを有するトレーと、前記トレー上に滑るように配置されるスライド板とを含むものである第２モジュールと、
前記ベースと前記トレーとの間に配置され、元の位置から離れた前記トレーを元の場所に復帰移動させるためのものである第１復元要素と、
前記ベースに配置され、かつ第1および第２ハードディスクと連結することができる位置に定位されるコネクターと、
を含むものであり、
そのうち、前記第１ハードディスクが、前記トレー上に配置されるものであり、外力の下で前記スライド板に向かって移動させられる時、前記第１ハードディスクの前記第１厚さが、前記トレーと前記スライド板との間の空間に前記第１ハードディスクを入れさせるとともに、前記トレー上に配置された前記電子デバイスのコネクターに連結させるものであり、
前記第２ハードディスクが、前記トレーに配置されるものであり、外力の下で前記スライド板に向かって移動させられる時、前記第２ハードディスクの前記第２厚さにより、前記第２ハードディスクが前記スライド板を押すとともに、前記コネクターに連結され、前記スライド板が、前記第２ハードディスクにより押され前記レバーの前記傾斜部分を持ち上げ、それにより、前記トレーの前記ストッパーに対する前記傾斜部分の制限効果を開放し、このように、外力の下で、前記第２ハードディスク、前記トレーおよび前記スライド板が前記ベース上の予め定められた距離を移動することを特徴とする収納機構。
【請求項２】
前記第１復元要素が、定力バネであることを特徴とする請求項１記載の収納機構。
【請求項３】
前記電子デバイスの外部に露出された前記収納された第１ハードディスクの長さが、前記電子デバイスの外部に露出された前記収納された第２ハードディスクの長さに実質上等しいものであることを特徴とする請求項１記載の収納機構。
【請求項４】
前記第１モジュールが、更に、
前記ベースと前記レバーとの間に配置され、元の位置から離れた前記レバーを元の場所に復帰移動させるための第２復元要素を含むものであることを特徴とする請求項１記載の収納機構。
【請求項５】
前記第２復元要素が、バネであることを特徴とする請求項４記載の収納機構。
【請求項６】
前記第２モジュールが、更に、
前記トレーと前記スライド板との間に配置され、元の位置から離れた前記スライド板を元の場所に復帰移動させるための第３復元要素を含むものであることを特徴とする請求項１記載の収納機構。
【請求項７】
前記第３復元要素が、バネであることを特徴とする請求項６記載の収納機構。
【請求項８】
更に、
前記ベース上に配置される第１嵌合部と、
前記トレー上に回転の軸を置き、前記第２ハードディスクおよび前記トレーの両方が外力の下で前記予め定められた距離を移動させられた後、前記第１嵌合部に嵌合されることに適した第２嵌合部と、
前記トレーと前記第２嵌合部との間に配置され、元の位置から離れた前記第２嵌合部を元の場所に復帰移動させるための第４復元要素とを含むものであることを特徴とする請求項１記載の収納機構。
【請求項９】
前記第４復元要素が、バネであることを特徴とする請求項８記載の収納機構。
【発明の詳細な説明】
【技術分野】
【０００１】
本発明は、収納機構（storing mechanism）に関するものであり、特に、リムーバブルハードディスク（removable hard disk）のための収納機構に関するものである。
【背景技術】
【０００２】
最近、電子技術の急速な進歩につれて、電子デバイスは、小型化・軽量化および、それによる携帯可能な傾向に発展している。一般の携帯可能な電子デバイスは、例えば、携帯電話、ノートブック、パーソナルデジタルアシスタント（personal digital assistant＝ＰＤＡ）または、手のひらサイズのコンピューターがある。上記の携帯可能な電子デバイスは、外部にコンパクトディスクレコーダブル機器（ＣＤ−Ｒ機器）、無線ネットワークカード、リムーバブルハードディスク等の他の周辺機器を接続することにより、その性能を拡張することができる。
【０００３】
図１は、従来技術の収納箱および従来技術の収納箱を用いるのに適した第１仕様のリムーバブルハードディスクの概略図である。図１において、従来技術のリムーバブルハードディスク１０１は、収納箱１００に収納されるのに適している。一般に、収納箱１００は、コネクター（図示せず）を有し、リムーバブルハードディスク１０１は、接続端子（図示せず）を収納箱１００内のコネクターに差し込むことによって、収納箱１００を介して電子デバイスに電気的に接続することができる。収納箱１００は、リムーバブルハードディスク１０１を他の電子デバイスに接続するための媒介として使用されるだけではなく、リムーバブルハードディスク１０１を部分的に保護するためにも使用される。
【０００４】
図２は、図１の従来技術の収納箱および第２仕様のリムーバブルハードディスクの概略図である。図１および図２において、リムーバブルハードディスク１０１，１０２が、異なる仕様を有するものである。ディスクの寸法として、リムーバブルハードディスク１０１，１０２が、それぞれ、１．８インチ，２．５インチである。更に、外形寸法として、リムーバブルハードディスク１０２の全体の厚さおよび長さが、リムーバブルハードディスク１０１の全体の厚さおよび長さよりも全て大きいものである。
【発明の開示】
【発明が解決しようとする課題】
【０００５】
留意すべきことは、比較的短いリムーバブルハードディスク１０１が、収納箱１００に差し込まれた後、収納箱１００の外部に露出する部分が非常に短くなるので、収納箱１００の外観が損なわれず、リムーバブルハードディスク１０１の大部分が、収納箱１００により保護されるようにすることである。しかしながら、比較的長いリムーバブルハードディスク１０２が、収納箱１００に差し込まれた後、収納箱１００の外部に露出する部分が比較的長くなるので、収納箱１００の外観が損なわれ、リムーバブルハードディスク１０２の大部分が、収納箱１００により保護されることができない。従って、外観の美しさを高めること及び構造を保護することに対して、従来技術の収納箱１００は、比較的長いリムーバブルハードディスク１０２を収納することに適していない。
【０００６】
[発明の目的]
本発明の目的は、異なる寸法を有するリムーバブルハードディスクが、同一の収納箱に収納されるとともに、収納箱に収納されるリムーバブルハードディスクの外部に露出される部分の長さが同一になるような収納機構を提供することである。
【課題を解決するための手段】
【０００７】
上記目的（およびその他の目的）を達成するため、本発明は、電子デバイス内に配置されることに適した収納機構を提供する。この収納機構は、第１厚さを有する第１ハードディスクまたは第２厚さを有する第２ハードディスクを収納することに使用される。本発明の収納機構が、第１モジュールと、第２モジュールと、第１復元要素と、コネクターとを含むものである。第１モジュールが、ベースおよびレバーを含むものである。傾斜部分を有するレバーが、ベースに回転の軸を置くものである。トレーが、ベース上に滑るように配置され、ストッパーを有するものである。ストッパーが、傾斜部分に対応して傾斜部分に制限されることにより、ベースに対するトレーのシフトを制限するものである。スライド板が、トレー上に滑るように配置されるものである。更に、第１復元要素が、ベースとトレーとの間に配置され、元の位置から離れたトレーを元の場所に復帰移動させるものである。コネクターが、ベースに配置され、第１および第２ハードディスクと連結することができる位置に定位されるものである。第１ハードディスクが、トレー上に配置され、外力の下でスライド板に向かって移動させられる時、第１ハードディスクの第１厚さは、第１ハードディスクをトレーとスライド板との間の空間に挿入させ、結果として、第１ハードディスクが、トレー上に配置された電子デバイスのコネクターに連結される。第２ハードディスクが、トレー上に配置され、外力の下でスライド板に向かって移動させられる時、第２ハードディスクの第２厚さのため、第２ハードディスクが、スライド板を押し、結果として、第２ハードディスクが、コネクターに連結され、第２ハードディスクにより押されたスライド板が、レバーの傾斜部分を起こし、それにより、トレーのストッパーへの傾斜部分の制限効果を開放し、このようにして、外力の下で、第２ハードディスク、トレーおよびスライド板が、ベース上の予め定められた距離を移動する。
【０００８】
本発明の実施形態中、第１復元要素が、定力バネである。
【０００９】
本発明の実施形態中、収納された第１ハードディスクの電子デバイスの外部に露出された部分の長さが、収納された第２ハードディスクの電子デバイスの外部に露出された部分の長さに実質上等しいものである。
【００１０】
本発明の実施形態中、第１モジュールが、更に、ベースとレバーとの間に配置されるものであり、元の位置から離れたレバーを元の場所に復帰移動させるものである第２復元要素を含むものである。
【００１１】
本発明の実施形態中、第２復元要素が、バネである。
【００１２】
本発明の実施形態中、第２モジュールが、更に、トレーとスライド板との間に配置されるものであり、元の位置から離れたスライド板を元の場所に復帰移動させるものである第３復元要素を含むものである。
【００１３】
本発明の実施形態中、第３復元要素が、バネである。
【００１４】
本発明の実施形態中、収納機構が、更に、第１嵌合部と、第２嵌合部と、第４復元要素とを含むものである。第１嵌合部が、ベース上に配置されるものであり、第２嵌合部が、トレー上に回転の軸を置くものである。第２嵌合部が、第２ハードディスクおよびトレーとの両方が外力の下でベース上の予め定められた距離を移動させられた後、第１嵌合部と嵌合されるものである。更に、第４復元要素が、トレーと第２嵌合部との間に配置されるものであり、第２嵌合部を元の場所に復帰移動させるものである。
【００１５】
本発明の実施形態中、第４復元要素が、バネである。
【００１６】
[作用]
上記の説明に基づき、本発明は、異なるハードディスク間の厚さの差を利用し、第１モジュールのベースを第２モジュールのトレーに対して移動させるか又は移動させないものとして、異なる厚さを有するハードディスクが、本発明の収納機構に挿入される深さを調節することにより、収納機構の外部に露出するハードディスクの長さが、実質的に同一となるようにするものである。
【発明の効果】
【００１７】
本発明は、異なるハードディスク間の厚さの違いを利用して、第１モジュールのベースを第２モジュールのトレーに対応して移動させるか又は移動させないものとし、それにより、異なる厚さを有するハードディスクが、本発明の収納機構に入る深さを調整することにより、収納機構の外部に露出するハードディスクの長さが、実質的に同一なものとなる。従って、本発明の収納機構を有する電子デバイスは、異なる長さを有するハードディスクを収納するために使用されるだけではなく、外観の美しさを向上させるとともに、ハードディスクの大部分を保護するものである。
【発明を実施するための最良の形態】
【００１８】
本発明の収納機構の要素および操作方法を、以下に詳細に説明する。
図３は、本発明の実施形態にかかる収納機構の概略図であり、図４は、図３の収納機構の分解斜視図である。図３および図４において、本実施形態の収納機構３００は、電子デバイス内に配置されることに適したものであり、電子デバイスが、コンピューター機器にハードディスクを電気的に接続するための媒介として使用されるものである。本実施形態の収納機構３００は、異なるサイズを有するハードディスクを収納すること及び異なるサイズを有するハードディスクを保護することに適したものである。収納機構３００が、第１モジュール３１０と、第２モジュール３２０と、第１復元要素３３０とを含むものである。
【００１９】
第１モジュール３１０が、ベース３１２およびレバー３１４を含むものであり、そのうち、レバー３１４がベース３１２上に回転軸を置くものである。また、第１モジュール３１０のベース３１２が、更に、第２モジュール３２０が移動するための複数のシュート（chute）３１２ａを有するものである。もちろん、ベース３１２が、同一の機能を達成できる他の形式の軌道（track）を有することもでき、上記のシュート３１２ａに限定されるものではない。
【００２０】
第２モジュール３２０が、トレー３２２およびスライド板３２４を含むものであり、そのうち、トレー３２２が、第１モジュール３１０のベース３１２上に滑るように配置されるものである。本実施形態中、トレー３２２が、ビスＳ１およびシュート３１２ａによりベース３１２上に滑るように配置されるものである。トレー３２２が、更に、第１モジュール３１０の傾斜部分３１４ａに対応するストッパー３２２ａを有するものである。ストッパー３２２ａが、レバー３１４の傾斜部分３１４ａに制限されるものであり、従って、ベース３１２に対するトレー３２２のシフトを制限するものである。更に、スライド板３２４が、トレー３２２上に滑るように配置されるものである。本実施形態中、スライド板３２４が、トレー３２２の２つのシュート３２２ｂのそれぞれに連結される２つの突出物３２４ａを含むものであり、トレー３２２上に滑るように配置されるものである。
【００２１】
第１復元要素（restoring element）３３０が、ベース３１２とトレー３２２との間に配置されるものである。第１復元要素３３０は、例えば、元の位置から離れたトレー（delocalized tray）３２２をゆるやかに元の場所に復帰移動（move back）させる安定した張力を提供するための定力バネ（constant force spring）である。ここまでで、本実施形態の収納機構３００の主要な要素が十分に説明されたが、これから、本実施形態の第１モジュール３１０および第２モジュール２３０を、以下に図面を参照しながら詳細に説明する。
【００２２】
図５Ａは、図４の第１モジュールの概略図であり、図５Ｂは、図５Ａの第１モジュールの分解斜視図である。図５Ａおよび図５Ｂにおいて、本実施形態の第１モジュール３１０が、更に、ベース３１２とレバー３１４との間に配置される第２復元要素３１６を含むものであり、それが、例えば、バネである。本実施形態中、第２復元要素３１６が、例えば、ボルトＳ２によりベース３１２とレバー３１４との間に配置されるものである。第２復元要素３１６の主要な機能は、ベース３１２に対応するレバー３１４にモーメントＭを提供することであって、ベース３１２上でレバー３１４を一時的に固定させるものである。言及すべきことは、レバー３１４が、軸の中心としてボルトＳ２を有して、ある角度を回転するためのモーメントＭの方向に反対する外力を加えられた後、外力がレバー３１４から取り除かれるならば、既にある角度を回転された元の位置から離れたレバー３１４が、第２復元要素３１６のモーメントＭにより影響を受けて元の場所に復帰移動することである。
【００２３】
図６Ａは、図４の第２モジュールの概略図であり、図６Ｂは、図６Ａの第２モジュールの分解斜視図である。図６Ａおよび図６Ｂにおいて、本実施形態の第２モジュール３２０が、更に、トレー３２２とスライド板３２４との間に配置される第３復元要素３２５、例えば、バネ（spring）を含むものである。第３復元要素３２５の主要な機能は、トレー３２２に対してスライド板３２４に張力Ｆを提供することであって、トレー３２２上にスライド板３２４を一時的に固定する。言及すべきことは、スライド板３２４が、トレー３２２上の元の場所から離れるよう外力が加えられた後、外力がスライド板３２４から取り除かれるならば、張力Ｆが、スライド板３２４をトレー３２２上の元の場所に復帰移動させる。更に、ハードディスクの接続端末に連結されることに使用される電子デバイスのコネクター４００が、トレー３２２上に組み込まれるものである。
【００２４】
図５Ｂと図６Ａと図６Ｂとにおいて、実施形態の収納機構３００（図３，４を参照）が、更に、複数の第１嵌合部３１２ｂ、複数の第２嵌合部３２６および複数の第４復元要素３２７を含むものである。図５Ｂに示すように、第１嵌合部３１２ｂが、第１モジュール３１０のベース３１２上に配置されるものであり、図６Ａおよび図６Ｂに示すように、第２嵌合部３２６が、それぞれ第１嵌合部３１２ｂに対応する第２モジュール３２０のトレー３２２上に回転の軸を置くものである。第２モジュール３２０が、第１モジュール３１０に組み付けられた後、第２嵌合部３２６が、それぞれ第１嵌合部３１２ｂに嵌合されるものである。本実施形態中、第１嵌合部３１２ｂが、例えば、嵌合孔であり、第２嵌合部３２６が、例えば、ラッチである。
【００２５】
第４復元要素３２７が、トレー３２２と第２嵌合部３２６との間にそれぞれ配置されるものであり、元の位置から離れた第２嵌合部３２６を元の場所に復帰移動させることに使用されるものである。本実施形態中、第４復元要素３２７が、例えば、バネであり、バネが、それぞれ第２嵌合部３２６が嵌合されるための弾性力を提供し、第２嵌合部３２６を元の場所に復帰移動させるものである。
【００２６】
本実施形態の収納機構３００の操作プロセスは、図面を参照するとともに、以下に更に説明する。図７Ａおよび図７Ｂは、図３の収納機構が第１ハードディスクを収納することに使用される時の操作の流れを説明するための図であり、図８Ａおよび図８Ｂは、図７Ａおよび図７Ｂそれぞれの断面図である。収納機構３００の全体的な操作の流れを分かりやすく示すために、一部分の要素は、図８Ａおよび図８Ｂにおいて省略している。
【００２７】
図７Ａおよび図８Ａを参照すると、第１ハードディスク２０１が、第１厚さＴ１を有するものである。本実施形態中、第１ハードディスク２０１が、１．８インチの仕様を有するリムーバブルハードディスクである。図７Ｂおよび図８Ｂを参照すると、ユーザーが、第１ハードディスク２０１を収納機構３００に挿入する時、第１ハードディスク２０１が、トレー３２２上に配置されるものであり、外力の下でスライド板３２４に向かって移動させられるものである。スライド板３２４とトレー３２２との間の空間が、第１厚さＴ１を有する第１ハードディスク２０１を首尾よく挿入させ、第１ハードディスク２０１をトレー３２２上に配置される外部電子デバイスのコネクター４００に連結させる（図６Ｂを参照のこと）。
【００２８】
留意すべきことは、第２モジュール３２０のストッパー３２２ａが、第１モジュール３１０の傾斜部分３１４ａに支持されることができ、結果として、第２モジュール３２０が空間Ｅに入ることができないことである（図８Ｂを参照のこと）。更に、第１ハードディスク２０１の大部分が、収納機構３００内に位置するものであり、収納機構３００により保護されるものである。他の観点から見ると、第１ハードディスク２０１が、ユーザーが手で掴むために適切な長さＶ１として部分的に収納機構３００の外部に露出されるものであって、ユーザーが、収納機構３００から第１ハードディスク２０１を簡単に取り出すことができる。
【００２９】
図９Ａ〜図９Ｃは、図３の収納機構が第２ハードディスクを収納することに使用される時の操作の流れを説明するための図であり、図１０Ａ〜図１０Ｃは、図９Ａ〜図９Ｃそれぞれの断面図である。図９Ａおよび図１０Ａを参照すると、第２ハードディスク２０２が、図８Ａの第１ハードディスク２０１の第１厚さＴ１よりも大きい第２厚さＴ２を有するものである。本実施形態中、第２ハードディスク２０２は、２．５インチの仕様を有するリムーバブルハードディスクである。言及すべきことは、第２ハードディスク２０２の第２厚さＴ２が、図７Ａの第１ハードディスク２０１の第１厚さＴ１よりも大きいだけではなく、第２ハードディスク２０２の第２長さＵ２も、図７Ａの第１ハードディスク２０１の第１長さＵ１よりも大きいものである。
【００３０】
図９Ｂおよび図１０Ｂを参照すると、ユーザーが、第２ハードディスク２０２を収納機構３００に挿入するために力を加える時、第２ハードディスク２０２が、トレー３２２上に配置され、外力の下でスライド板３２４に向かって移動させられ、第２ハードディスク２０２の第２厚さＴ２により、第２ハードディスク２０２が、外力の下で、当接してスライド板３２４を押すので、第２ハードディスク２０２の接続端末（図示せず）が、トレー３２２上のコネクター４００（図６Ｂを参照のこと）に連結される。
【００３１】
図９Ｃおよび図１０Ｃを参照すると、外力の下で、第２ハードディスク２０２、トレー３２２およびスライド３２４が、ベース３１２上の予め定められた距離を相対的に移動するものである（図１０Ｃを参照のこと）。言い換えれば、第２ハードディスク２０２、トレー３２２およびスライド３２４がベース３１２の後半部分に位置する空間Ｅに入るものである。
【００３２】
言及すべきことは、第２嵌合部３２６（図１０Ｂの要部拡大図を参照のこと）が、斜面３２６ａを有し、突出物３２４ａが斜面３２６ａに沿って下方に第２嵌合部３２６を押すために使用されることである（図１０Ｃの要部拡大図を参照のこと）。結果として、第４復元要素３２７が、変形されてねじられるものであり、第２嵌合部３２６が、第１嵌合部３１２ｂに嵌合され、トレー３２２がベース３１２に固定されるものである。
【００３３】
図１０Ｃから明確に分かるように、第２ハードディスク２０２の大部分が、収納機構３００内に位置し、それにより保護されるものである。留意すべきことは、収納された第１ハードディスク２０１の収納機構３００の外部に露出された部分の長さＶ１（図８Ｂを参照のこと）が、収納された第２ハードディスク２０２の収納機構３００の外部に露出された部分の長さＶ２におよそ等しいということである。言い換えれば、本実施形態の収納機構３００が、異なる長さを有する第１ハードディスク２０１および第２ハードディスク２０２を収納し、それら両方が同じ長さを露出させるようになることである。
【００３４】
逆に、ユーザーが、収納機構３００から第２ハードディスク２０２を引き出す時、スライド板３２４が、第３復元要素３２５による復元力の下で元の場所に復帰移動し、突出物３２４ａもスライド板３２４とともに、元の場所に復帰移動する。第２嵌合部３２６に加えられる圧力が開放され、第２嵌合部３２６と第１嵌合部３１２ｂとの間の嵌合が開放されるので、第１復元要素３３０により第２モジュール３２０が、元の場所に復帰移動する（図３を参照のこと）。他の観点から見ると、スライド板３２４が、レバー３１４の下方の位置から離れ、スライド板３２４により上げられたレバー３１４の傾斜部分３１４ａが、第２復元要素３１６により提供されるモーメントＭにより元の場所に復帰移動する。
【００３５】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３６】
【図１】従来技術の収納箱および従来技術の収納箱を用いるのに適した第１仕様のリムーバブルハードディスクの概略図である。
【図２】図１の従来技術の収納箱および第２仕様のリムーバブルハードディスクの概略図である。
【図３】本発明の実施形態にかかる収納機構の概略図である。
【図４】図３の収納機構の分解斜視図である。
【図５Ａ】図４の第１モジュールの概略図である。
【図５Ｂ】図５Ａの第１モジュールの分解図である。
【図６Ａ】図４の第２モジュールの概略図である。
【図６Ｂ】図６Ａの第２モジュールの分解図である。
【図７Ａ】図３の収納機構が第１ハードディスクを収納することに使用される時の操作の流れを説明するための図である。
【図７Ｂ】図３の収納機構が第１ハードディスクを収納することに使用される時の操作の流れを説明するための図である。
【図８Ａ】図７Ａの断面図である。
【図８Ｂ】図７Ｂの断面図である。
【図９Ａ】図３の収納機構が第２ハードディスクを収納することに使用される時の操作の流れを説明するための図である。
【図９Ｂ】図３の収納機構が第２ハードディスクを収納することに使用される時の操作の流れを説明するための図である。
【図９Ｃ】図３の収納機構が第２ハードディスクを収納することに使用される時の操作の流れを説明するための図である。
【図１０Ａ】図９Ａの断面図である。
【図１０Ｂ】図９Ｂの断面図である。
【図１０Ｃ】図９Ｃの断面図である。
【符号の説明】
【００３７】
１００  収納箱
１０１，１０２  リムーバブルハードディスク
２０１  第１ハードディスク
２０２  第２ハードディスク
３００  収納機構
３１０  第１モジュール
３１２  ベース
３１２ａ  シュート
３１２ｂ  第１嵌合部
３１４  レバー
３１４ａ  支持部
３１６  第２復元要素
３２０  第２モジュール
３２２  トレー
３２２ａ  ストッパー
３２２ｂ  シュート
３２４  スライド板
３２４ａ  突出部
３２５  第３復元要素
３２６  第２嵌合部
３２６ａ  斜面
３２７  第４復元要素
３３０  第１復元要素
４００  コネクター
Ｅ  空間
Ｆ  張力
Ｍ  モーメント
Ｓ１  ビス
Ｓ２  ボルト
Ｔ１  厚さ
Ｔ２  厚さ
Ｕ１  全体長さ
Ｕ２  全体長さ
Ｖ１  適切な長さ
Ｖ２  適切な長さ
Ｔ１  厚さ
【図１】
0004496185.tif 000002
【図２】
0004496185.tif 000003
【図３】
0004496185.tif 000004
【図４】
0004496185.tif 000005
【図５Ａ】
0004496185.tif 000006
【図５Ｂ】
0004496185.tif 000007
【図６Ａ】
0004496185.tif 000008
【図６Ｂ】
0004496185.tif 000009
【図７Ａ】
0004496185.tif 000010
【図７Ｂ】
0004496185.tif 000011
【図８Ａ】
0004496185.tif 000012
【図８Ｂ】
0004496185.tif 000013
【図９Ａ】
0004496185.tif 000014
【図９Ｂ】
0004496185.tif 000015
【図９Ｃ】
0004496185.tif 000016
【図１０Ａ】
0004496185.tif 000017
【図１０Ｂ】
0004496185.tif 000018
【図１０Ｃ】
0004496185.tif 000019